(57)【要約】  拡張された地図及び／又はストリートビュー画像といったような、拡張された場所情報を補足し修正するために、「クラウドソーシング」等のユーザーフィードバックが利用される。欠落した又は間違った情報に関するユーザーフィードバックは、「宝探し」形式の拡張現実ゲーム、金銭的な又は類似の報奨、及び同様のインセンティブを通じて、引き出される。データを提出するユーザーの認証、知られているユーザーからの入力、データを提出するユーザーからの画像又は場所に基づく確認、及び類似のものといったような様々なメカニズムが利用されて、その新しいデータをそれが公開される前又は後に検証することができる。【選択図】図３
2013534662.tif 000002
【特許請求の範囲】
【請求項１】
少なくとも部分的にコンピューティングデバイスにおいて実行される、拡張された場所に基づくデータを補足及び修正するための方法であって、
拡張された場所に基づくデータを表示するステップと、
拡張データにおける欠落した情報と間違った情報のうちの少なくとも１つに関連するユーザーフィードバックを受け取るステップと、
前記ユーザーフィードバックを検証するステップと、
前記拡張された場所に基づくデータを改訂するステップと、
前記改訂後の拡張された場所に基づくデータを表示するステップと、
前記フィードバックを提出したユーザーに報奨を付与するステップと、
を含む方法。
【請求項２】
前記改訂後の拡張された場所に基づくデータを表示した後に他のユーザーからフィードバックを受け取るステップと、
前記改訂後の拡張された場所に基づくデータを修正するステップと、
前記修正後の拡張された場所に基づくデータを表示するステップと、
を更に含む、請求項１に記載の方法。
【請求項３】
前記報奨は、検証を条件とした非金銭的な報奨である、請求項２に記載の方法。
【請求項４】
ユーザーフィードバックが別のユーザーによって修正された場合に、前記フィードバックを提出した最初のユーザーへの報奨を取り消すステップと、
前記フィードバックを修正した当該別のユーザーに報奨を付与するステップと、
を更に含む、請求項１に記載の方法。
【請求項５】
「宝探し」形式の拡張現実ゲーム、市民の責務の宣伝、ビジネス上の利益の宣伝、及び直接的な提出に対する報奨からなる一群のうちの少なくとも１つによって、フィードバックを提出するインセンティブをユーザーに付与するステップを更に含む、請求項１に記載の方法。
【請求項６】
前記報奨は、クーポン、割引、サービスへのアクセス権、特典、現金、及びポイントベースの報奨システムにおけるポイントからなる一群のうちの少なくとも１つを含む、請求項５に記載の方法。
【請求項７】
前記ユーザーフィードバックを検証する前記ステップは、提出を行うユーザーを認証するステップ、提出を行うユーザーを「信頼できるユーザー」のグループの一員として確認するステップ、提出を行うユーザーの提出時における場所を確認するステップ、及び提出を行うユーザーから場所の画像を受け取るステップからなる一群のうちの少なくとも１つを含む、請求項１に記載の方法。
【請求項８】
前記ユーザーから受け取られた画像に対してテキスト抽出を利用すること、及び前記ユーザーが提出した画像中にキャプチャーされている店舗に関連するウェブサイトをクロールすること、のうちの１つに基づいて前記ユーザーフィードバックを検証するステップを更に含む、請求項７に記載の方法。
【請求項９】
拡張された場所情報を補足及び修正するためのシステムであって、
選択された場所に関する地図、衛星画像、及びパノラマ的なストリートビュー画像からなる一群のうちの少なくとも１つを含む拡張された場所情報を提供する場所サービスをホストするように構成された第１のサーバーと、
データ収集サービスをホストするように構成された第２のサーバーと、
を含み、
前記データ収集サービスは、
「宝探し」形式の拡張現実ゲーム、市民の責務の宣伝、ビジネス上の利益の宣伝、及び直接的な提出に対する報奨からなる一群のうちの少なくとも１つによって、前記表示された拡張された場所情報に関連するフィードバックを提出するインセンティブをユーザーに付与し、
提出を行うユーザーを認証すること、提出を行うユーザーを「信頼できるユーザー」のグループの一員として確認すること、提出を行うユーザーの提出時における場所を確認すること、他のユーザーからのフィードバック、及び提出を行うユーザーから場所の画像を受け取ること、からなる一群のうちの少なくとも１つに基づいてユーザーフィードバックを検証し、
前記拡張された場所情報を改訂し、
前記改訂後の拡張された場所情報を表示する
ように適応されている、
システム。
【請求項１０】
前記データ収集サービスは、更に、「宝探し」形式の拡張現実ゲームによって前記ユーザーにインセンティブを付与し、案内の提供によりユーザーが関心対象のエリアに関連するフィードバックを提出するのを促進するように適応されている、請求項９に記載のシステム。
【請求項１１】
フィードバックを提出したユーザーが、前記フィードバックの検証を条件とした非金銭的な報奨を提供される、請求項９に記載のシステム。
【請求項１２】
前記選択された場所は、クライアントデバイスを通じたユーザー入力、全地球測位サービス（ＧＰＳ）に基づく入力、携帯電話基地局の三角測量に基づく入力、及びユーザーに関連付けられた無線データネットワーク位置からなる一群のうちの少なくとも１つに基づいて決定される、請求項９に記載のシステム。
【請求項１３】
拡張された場所情報を補足及び修正するための命令が格納されたコンピューター読み取り可能記憶媒体であって、前記命令は、
「宝探し」形式の拡張現実ゲーム、市民の責務の宣伝、ビジネス上の利益の宣伝、及び直接的な提出に対する報奨からなる一群のうちの少なくとも１つによって、前記表示された拡張された場所情報に関連するフィードバックを提出するインセンティブをユーザーに付与するステップと、
提出を行うユーザーを認証すること、提出を行うユーザーを「信頼できるユーザー」のグループの一員として確認すること、提出を行うユーザーの提出時における場所を確認すること、及び提出を行うユーザーから場所の画像を受け取ること、からなる一群のうちの少なくとも１つに基づいてユーザーフィードバックを検証するステップと、
前記拡張された場所情報を改訂するステップと、
前記改訂後の拡張された場所情報を表示するステップと、
前記改訂に関連する修正フィードバックが他のユーザーから受け取られた場合に、前記修正フィードバックを検証するステップと、
前記改訂後の拡張された場所情報を修正するステップと、
前記修正後の拡張された場所情報を表示するステップと、
を含む、コンピューター読み取り可能記憶媒体。
【請求項１４】
前記命令は、更に、
前記フィードバックを提出した第１のユーザーに非金銭的な報奨を付与するステップと、
修正フィードバックが受け取られて検証された場合に、前記非金銭的な報奨を取り消し、前記修正フィードバックを提出した別のユーザーに報奨を付与するステップと、
そうでない場合に、前記第１のユーザーに対する前記非金銭的な報奨を金銭的な報奨に変換するステップと、
を含む、請求項１３に記載のコンピューター読み取り可能記憶媒体。
【請求項１５】
前記フィードバックを提出するためのオプションを有するモバイルデバイス上で前記拡張された場所情報を表示することによってユーザーフィードバックが可能とされ、前記フィードバックを提出するための前記オプションは、テキスト入力、カメラに基づく入力、コンパスに基づく入力、タッチに基づく入力、及び全地球測位サービス（ＧＰＳ）に基づく入力からなる一群のうちの少なくとも１つを含む、請求項１４に記載のコンピューター読み取り可能記憶媒体。
【発明の詳細な説明】
【背景技術】
【０００１】
[0001]  オンラインの地図アプリケーションは、通常の地図、衛星画像、ストリートビュー画像、及び類似の場所情報を提供する。地図アプリケーションには、表示された情報を店舗名、住所、及び特定の場所に関する他の詳細といったような関連データで拡張するものもある。こうしたメタデータは、典型的には、商業名鑑、地方自治体のデータソース、公開されたウェブ情報、街路の静止画像若しくはビデオ画像を撮影する個々人や車両部隊、及び／又は、店舗オーナーに彼らの店舗に関する情報を提供させるといったような、様々な情報源から得られる。この情報にはまた、ビデオクリップ又はオーディオクリップ、雑学的情報、噂、及び人々にとって有益であるかもしれない同様の事項も含まれ得る。
【０００２】
[0002]  拡張情報の正確性は、データソースの正確性、データソースの深さや広がり、情報の更新頻度、及び類似の要素に依存する。加えて、物理的な構造物（例えば建物、街路等）及びそうした構造物の占有者は、不定期に変わることがよくある。名鑑や自治体の記録はより古く基礎的な情報を含んでいることがあり、ウェブのデータは一般に体系化されておらず、店舗オーナーからの情報は必ずしも信頼できないことがある。したがって、情報を収集してそれを処理し、地図サービスのための完全で最新で正確な拡張データを保持することは、挑戦しがいのある課題である。
【発明の概要】
【０００３】
[0003]  この概要は、以下の詳細な説明において更に説明される概念から選び出したものを、単純化した形で紹介すべく提供されるものである。この概要は、特許請求の範囲に記載された対象の主要な特徴、又は本質的な特徴を専ら特定することを意図しておらず、また、特許請求の範囲に記載された対象の範囲を決定付けるための助けとしても意図していない。
【０００４】
[0004]  本実施態様は、拡張された地図及び／又はストリートビュー画像といったような、拡張された場所情報を補足し修正するのにユーザーフィードバックを利用することに向けられている。「宝探し」形式の拡張現実ゲーム、金銭的な又は類似の報奨、及び同様のインセンティブを通じて、欠落した又は間違った情報に関するユーザーフィードバックが引き出されることができる。知られているユーザーからの入力、提出を行うユーザーからの画像又は場所に基づく確認、及び類似のものといったような様々なメカニズムが利用されて、その新しい情報をそれが公開される前又は後に検証することができる。
【０００５】
[0005]  これらの及び他の特徴と利点は、以下の詳細な説明を読み、関連する図面を検討することによって明らかとなるだろう。前述した概括的な説明も後述する詳細な説明も共に説明的なものであって、特許請求の範囲に記載された観点を制限するものではない、ということは理解されなければならない。
【図面の簡単な説明】
【０００６】
【図１】図１は、例示的な拡張された地図を示し、この拡張された地図において、実施態様による検証済みのユーザーフィードバックを通じて、データが補足及び／又は修正されることができる。
【図２】図２は、例示的な拡張されたストリートビューを示し、この拡張されたストリートビューにおいて、実施態様による検証済みのユーザーフィードバックを通じて、データが補足及び／又は修正されることができる。
【図３】図３は、ユーザーフィードバックを通じた拡張情報の収集と検証を示す概念図である。
【図４】図４は、いくつかの実施態様に従って拡張情報を収集するためのシステムのブロック図を示す。
【図５】図５は、拡張された地図アプリケーションにおいてユーザーフィードバックデータを検証するシステムに関する別のブロック図を示す。
【図６】図６は、実施態様によるシステムが実現されることができるネットワーク環境である。
【図７】図７は、実施態様が実現されることができる例示的なコンピューティング動作環境のブロック図である。
【図８】図８は、実施態様に従いユーザーフィードバックを通じて場所に基づくデータを拡張及び修正する処理の論理フロー図を示す。
【発明を実施するための形態】
【０００７】
[0014]  上で簡潔に述べられたように、拡張された地図及び／又はストリートビュー画像といったような、拡張された場所情報を補足し修正するために、「クラウドソーシング」等のユーザーフィードバックが利用されることができる。欠落した又は間違った情報に関するユーザーフィードバックは、ネガティブな「宝探し」形式の拡張現実ゲーム、金銭的な又は類似の報奨、及び同様のインセンティブを通じて、引き出されることができる。探索される情報は、それを見つけ出す人々のために隠されている既知の詳細ではなく、ユーザーが彼らに与えられた情報の中から誤りを見つけ出す必要のある、検証の課題である。「信頼のおける」ユーザーからの入力、提出を行うユーザーからの画像又は場所に基づく確認、及び類似のものといったような検証メカニズムが利用されて、その新しいデータをそれが公開される前又は後に検証することができる。以下の詳細な説明において、その一部分を形成する添付の図面が参照され、その図面において、具体的な実施態様又は例が説明のために示される。これらの側面は組み合わせられることができ、他の側面が利用されることができ、また、本開示の趣旨又は範囲から逸脱することなく、構成が変更されることができる。したがって、以下の詳細な説明は、限定的な意味に解釈されてはならず、また、本発明の範囲は、添付された特許請求の範囲及びその均等物によって定義される。
【０００８】
[0015]  本実施態様は、パーソナルコンピューターのオペレーティングシステム上で動作するアプリケーションプログラムと連携して実行される、プログラムモジュールの一般的な文脈において説明されるが、当業者は、本側面が他のプログラムモジュールと組み合わせて実現されることもできるということを認識するだろう。
【０００９】
[0016]  一般に、プログラムモジュールは、ルーチン、プログラム、コンポーネント、データ構造、及び、特定のタスクを実行し又は特定の抽象データ型を実現する他のタイプの構造を含む。その上、ハンドヘルド型デバイス、マルチプロセッサーシステム、マイクロプロセッサーベース又はプログラム可能な家電製品、ミニコンピューター、メインフレームコンピューター、及び類似のコンピューティングデバイスを含む、他のコンピューターシステム構成によって実施態様が実施されることができるということを、当業者は認識するだろう。本実施態様はまた、通信ネットワークを通じてリンクされた遠隔処理デバイスによってタスクが実行される、分散コンピューティング環境において実施されることもできる。分散コンピューティング環境において、プログラムモジュールは、ローカル及び遠隔のメモリ記憶装置の両方に配置されることができる。
【００１０】
[0017]  本実施態様は、コンピューター実装プロセス（方法）やコンピューティングシステムとして、又はコンピュータープログラム製品又はコンピューター読み取り可能媒体等の製品として、実現されることができる。コンピュータープログラム製品は、コンピューターシステムによって読み取り可能であり、コンピューター又はコンピューティングシステムに例示的プロセスを実行させるための命令を備えたコンピュータープログラムをエンコードしている、コンピューター記憶媒体でありうる。このコンピューター読み取り可能記憶媒体は、例えば、揮発性コンピューターメモリ、不揮発性メモリ、ハードドライブ、フラッシュドライブ、フロッピーディスク（登録商標）、又はコンパクトディスク、及び類似の媒体のうちの１つ又は複数によって実現されることが可能である。
【００１１】
[0018]  本明細書の全体を通して、「プラットフォーム」という用語は、拡張された地図の演算を処理するためのソフトウェア及びハードウェアコンポーネントを組み合わせたものでありうる。プラットフォームの例は、限定ではないが、複数のサーバーにわたって実行されるホストサービス、単一のサーバー上で実行されるアプリケーション、及び類似のシステムを含む。「サーバー」という用語は、一般に、１つ又は複数のソフトウェアプログラムを、典型的にはネットワーク環境において実行するコンピューティングデバイスを意味している。しかしながら、サーバーはまた、ネットワーク上のサーバーとみなされる１つ又は複数のコンピューティングデバイス上で実行される、仮想サーバー（ソフトウェアプログラム）として実現されることもできる。
【００１２】
[0019]  図１は、例示的な拡張された地図を示し、この拡張された地図において、実施態様による検証済みのユーザーフィードバックを通じて、データが補足及び／又は修正されることができる。拡張現実のソリューションは、仮想的な情報を物理的な／現実の環境の表面上に重畳することを意味する。拡張された場所情報のアプリケーションは、地図、衛星画像、ストリートビュー画像等の上に重ね合わせられた付加的な（テキスト表現又はグラフィック表現の）データを提供する。ストリートビュー画像には、ユーザーが指定した場所の周囲の様子を示すパノラマ的なストリートレベルビューが含まれ得る。この場所は、ユーザー入力に基づいて、又は、全地球測位サービス（ＧＰＳ）情報、携帯電話基地局の三角測量、無線データネットワークのノード検出、コンパス、加速度センサー、既知の地理的位置写真に対するカメラ入力のマッチング、及び類似の方法に基づく自動的な場所の判定に基づいて、指定されることができる。拡張された場所情報は、デスクトップコンピューター、ラップトップコンピューター、ノートブックといったような任意のコンピューティングデバイス、スマートフォン、ハンドヘルド型コンピューター、ワイヤレス携帯情報端末（ＰＤＡ）、地図アプリケーション機能を有した携帯電話端末、車両搭載型のコンピューティングデバイスといったようなモバイルデバイス、及び類似のものを通じて、表示されることができる。
【００１３】
[0020]  図１における拡張された地図１００には、拡張されたデータのいくつかの例示的な実施が含まれている。例えば、「美術館」１０４及び「展望タワー」１０８が、地図上の特定の建物を指し示す吹出しとして表示されている。「ショッピングセンター」１０６及び「フードコート」１１２は、それらが対応する場所の隣にホバリングボックスで表示されている。加えて、別の表示ボックス１０２が、地図１００上の特定の場所における店舗に関する情報を提供している。拡張された情報は、店舗の種類や建物の名前を特定することに限定されるものではない。住所の詳細、道案内、店舗の詳細、連絡先、歴史的な情報、動的なデータ、及び同様のものといったような、拡張的な場所に基づくデータの表示を通じて、付近の興味あるポイントに関する幅広い様々な情報が提供されることができる。更に、その情報には、場所に関するユーザーの知識を記述したテキストのリスト（例えば、知っている店舗、番地、歴史的な出来事等のリスト）さえ含まれ得る。
【００１４】
[0021]  既に議論されたように、拡張された場所の表示による挑戦の１つは、拡張データとその基礎をなす場所データとの同期を、特に長期間にわたって保持することである。ある場所における構造物及び他の特徴は、長い年月の間に変化することがある。建物（例えば店舗）の占有者もまた変化することがあり、表示される情報を時代遅れのものとする。更にまた、オリジナルのデータが、誤った情報源から得られ、又は間違って計算される（間違った場所とマッチングされる）ことがある。このような誤りは、場所に基づく情報サービスの信用と当該サービスがユーザーに提供する価値を損ない得るが、それにもかかわらずユーザーは、誤りを特定するのに用いることが可能な「現実」に関する「信頼できる情報源」など一般には存在しないために、そのことに気付きにくい。
【００１５】
[0022]  場所に基づくサービスは、それらの場所データの品質を高めるために様々な方法を利用する。そうしたデータのいくつかは、商業名鑑や地方自治体のデータベースといったような幾分信頼できる多様な情報源から得られ、結合されることができる。しかしながら、これらの情報源の多くは、慢性的に時代遅れであり、誤りの割合が高いために、たとえ結合したデータであっても欠陥を有し得る。加えて、基本的な情報（例えば電話番号及び住所）は、典型的にこうした情報源から取得される。別の情報源は、個々の店舗ポータルのような公開されたウェブデータである。しかしながら、ウェブ情報は、極めて非体系的であり、一般には完全な範囲をカバーしていない。あるサービスは、各場所の写真を調査する個人を利用して誤り又は欠落した情報を特定するが、このアプローチもまた、特に写真を調査する従事者が実際の場所やその微妙な点に詳しくないとすれば、高価であり、また間違いを犯しやすい。コストに対する別の理由は、ベンダーは通常、彼らが提供し得るデータの真の価値――以前は知られていなかった新しいデータ――ではなく、（仕事の量を表す）彼らがカバーするエリアによって支払いを受けるという事実である。場所に基づくサービスを、誤り情報（欠落した又は間違ったデータ）を「未検証ユーザー入力」として整理することが可能な店舗オーナー又は他の個人に公開することは、店舗オーナー又は他の利害関係者による主導を伴い、悪意のある不正な情報に対して無防備である。
【００１６】
[0023]  本実施態様によるシステムにおいて、拡張された場所情報を補足し修正するために、ユーザーフィードバックが利用されることができる。欠落した又は間違った情報に関するユーザーフィードバックは、「ネガティブな宝探し」形式の拡張現実ゲーム、金銭的な又は類似の報奨、及び同様のインセンティブを通じて、動機を与えられることができる。宝探し形式のゲームは、個人及びグループが、彼らのクライアントデバイス上で地図及び他の形式の場所に基づく情報を見ることによって場所に関する誤りのある又は欠落した情報を探索し、現実の場所と照合する（例えば、ある場所のストリートビューを、それと同じ場所を歩いている間に調査する）ことを促進することができる。このようなゲームへの参加を成功させるために、又は率直なフィードバックを得るために、地域の店舗向けのクーポン、御礼、オンライン購入の割引、様々なサービスへのアクセス、及び類似の誘引といったようなインセンティブが提供されることができる。間違った参加又は悪意のある参加を防止するために、知られている即ち「信頼できる」ユーザーからの入力、フィードバックを提供するユーザーの認証、提出を行うユーザーからの画像又は場所に基づく確認（例えば、ユーザーが証拠としてその場所の写真を提出する、又は、ユーザーのモバイルデバイスからのＧＰＳ値が当該提出と併せて取得される）、提供されたフィードバックを表示した後の他の（やはり、信頼できる又は正規の）ユーザーによる確認、受け取られたフィードバックの表示の延期、及び類似のものといったような、様々な検証メカニズムが利用されることができる。ベンダーを利用することが可能である場合もあり、当該ベンダーは、提案された修正を確認しに行かなければならないだけで済む。この仕事の量は、あるエリアのデータを全て回収するよりも劇的に少ない場合がある。
【００１７】
[0024]  図２は、例示的な拡張されたストリートビューを示し、この拡張されたストリートビューにおいて、実施態様による検証済みのユーザーフィードバックを通じて、データが補足及び／又は修正されることができる。図２におけるモバイルデバイス２００は、いくつかの建物と１つの横道を有する街路のストリートビュー２２０を表示している。モバイルデバイス２００は、スピーカー２１６、ストリートビュー２２０（又はマップビュー）にわたってナビゲートするための操作ボタン２１８及び２１４といったような、典型的なコンポーネントを含むことができる。
【００１８】
[0025]  ストリートビュー２２０には、テキスト表現の拡張２２２「靴屋」を有した建物、スタイル付きの店舗ロゴ２２４「ＪＯＥ’Ｓ  ＥＡＴＥＲＹ」で拡張された別の建物、テキスト表現の拡張２２６「金融サービス」を有した第３の建物、横道２３０「１５番街」、テキスト表現の拡張２２８「法律事務所」を有した第４の建物、及びテキスト表現の拡張２３２「時計店」を有した第５の建物が含まれている。実施態様に従って拡張の他の形式やタイプが用いられることができるのはもちろんである。例えば、テキスト表現の拡張には、付加的な情報が含まれてもよい。表示されたストリートビューと共にグラフィック表現の拡張（アイコン、図形、埋め込み音声／映像等）が用いられることもできる。上で論じられたように、ストリートビュー２２０には、表示されている場所の建物又は他の構造物に関連したいくらかの情報が含まれないことがある。更にまた、情報のいくつかは正しくなかったり、最新でなかったりすることがある。本実施態様による地図サービスは、広範なユーザーからのフィードバックを利用して、欠落した情報を補足し誤りのあるデータを修正することができる。
【００１９】
[0026]  そうした広範なユーザーから情報を引き出すことは、「クラウドソーシング」とも称される。実施態様による１つのアプローチは、拡張現実の宝探し形式のゲームを通じたクラウドソーシングの形式に基づいて、但し一工夫加えて、構築されることができる。特定の宝を探し求めることよりもむしろ、プレーヤー達は、誤りや欠落した情報を探し求めることができる。プレーヤー達は、付近を歩き回り、モバイルデバイスのカメラをあらゆる方向に向けることが可能である。彼らがそうする時、最新の仮想的な情報が、拡張現実として彼らのデバイス上に表示されることができる。プレーヤー達は、次いで、間違いを視覚的に特定して、（例えば、ボタンをクリックすること、その場所のスナップショットを記録すること、又は、マニュアルで正しい／欠落している情報を提供することによって）それらを報告することが可能である。この情報は、ゲームサーバーへアップロードされて、より正確で最新の情報を生成するように処理されることができる。
【００２０】
[0027]  図３は、ユーザーフィードバックを通じた拡張情報の収集と検証を示す概念図である。図３の図形３００は、図２に類似したストリートビューを表している。例示的なシナリオにおいて、建物３３４の注釈「ミュージックストア」及び横道３４０の注釈「１６番街」は間違っている。建物３３８には注釈が付されておらず、また、空白のスペース３４２が見えているが、そこには図形３００のストリートビューにおいて建物が存在するはずである。建物３３６及び３４４は、正しく拡張されている。実施態様による処理の第１のステップにおいて、欠落している又は間違っている情報に関する入力（３４８）が、ユーザー３４６から受信される。このユーザーは、ハンドヘルド型デバイスを手に持ってこの場所を歩き回りながら、当該場所の拡張現実ビューを眺めて、現実のシーンと照合することができる。
【００２１】
[0028]  拡張現実とインセンティブ付与を融合することによって、もうすっかり広まっている拡張現実のソリューション（即ち場所に基づくサービス）の中に、クラウドソーシングが控え目な方法で統合されることが可能である。拡張現実がユーザーに適切なデータを提示するとすれば、ユーザーは、情報が間違った場所に提示されていたり、情報が正しくなかったり、又は関心のあるポイントについての情報が欠落していたりといったような異常を特定することが可能である。これらの場合において、ユーザーは、モバイルデバイスのセンサー（例えば、カメラ、ＧＰＳ、コンパス）を用いて正しい情報を素早く入力又はタイプして、その情報を場所に基づくサービスへ送信することを可能とされ得る。
【００２２】
[0029]  この一体化されたソリューションは、ネガティブな対象物（誤り又は欠落した情報）を求める宝探しに似ている。正しい情報を入力することに対するユーザーのモチベーションは、拡張現実の報奨である場合がある。ユーザーは、高潔な理由（例えば、街や近隣に関する意識をオンライン上で向上させるといった市民としての責務）でボランティアをしたり、金銭的な報酬を得たり、又はその結果にビジネス上の利益を有していたり（例えば、店舗オーナーが、彼／彼女の店舗名簿に出てくる間違った電話番号を訂正したいと考える）といったような様々な理由により、関与することへの更なるモチベーションを与えられ得る。
【００２３】
[0030]  拡張現実のソリューション／ゲームとして、ユーザーは、たとえ修正すべき欠落した又は誤りのある情報をほとんど見つけなかったとしても、標準ベースでそれをプレーし、楽しむことができる。このことは、ネガティブな発見物がごく稀な非常に正確なシステムにおいてさえ、誤りを見つけ出すことを可能にする。いくつかの実施態様によれば、おおまかな情報又は案内（例えば、「あなたはだんだん近付いています」又は「宝はあなたの北にあります」等）がユーザーに与えられることができ、この情報又は案内が用いられて、当該サービスがより少ないデータしか有していない（又は多数の修正が最近発見されて、大幅な変更の兆候となり得る）関心対象の特定のエリアを、ユーザーがキャプチャーするのを促進することができる。
【００２４】
[0031]  処理の第２のステップは、受信された補足的な／修正された情報（３５０）の検証である。この検証は、提出を行うユーザーから正しい又は欠落している情報と共にその場所のスナップショットを受け取ること、ＧＰＳ情報に基づいてユーザーの場所を判定すること、信頼できるユーザーグループ（例えば、過去において信用のおける情報を提出したユーザー）の一員としてユーザーを認証すること、及び類似のアプローチといったような、自動化された処理手順を通じて当該サービスによって実施されることができる。この検証はまた、他のユーザーからの入力に基づいて実施されることもできる。例えば、当該サービスは、更新の公開を遅らせて、互いに無関係の多数のユーザーによってなされた同様の報告を収集すべく待機することができる。延期している間、他のユーザーは、誤り又は欠落した情報を報告するモチベーションを与えられることができる。何故なら、彼らは、既に他の誰かがそれを報告したかどうか／いつしたかを知らないからである。予め定められた数の互いに無関係のユーザーが矛盾のないデータを報告すると、そのデータは、検証済みとしてマークを付されることができる。システムが金銭的なインセンティブを提供する場合、そのインセンティブは、検証の後に、当該新しい情報を報告した最初のユーザー又は最初の少数のユーザーへ支給されることができる。修正の量は全体のデータよりも少ないことがあるので、検証は、自動化システム又は雇われた検査者によって実施されることもできる。
【００２５】
[0032]  更なる実施態様によれば、提出された情報は、報告を行うユーザーの数、提出ユーザーの（過去の提出に基づく）信頼度レベル、又は表示された地図上の未確認であるとの指示に基づいて、重み付けされることができる。図３の図形３１０は、図形３００のストリートビューに対する修正済みの完全なバージョンを示す。建物３５６の注釈は「靴屋」と修正され、横道３６２は正しく名前を付けられている。建物３５８は正しく「金融サービス」と特定され、空白のスペースは正しく建物３６０「時計店」で埋められた。
【００２６】
[0033]  図４は、いくつかの実施態様に従って拡張情報を収集するためのシステムのブロック図を示す。図形４００に示されるように、拡張及び修正は、ユーザーが新しい又は正しくない情報を見つける（４７２）ことから開始することができる。これは宝探し形式のゲームを通じて、又はユーザー自身の主導で遂行されることができる。ユーザーは、次いで、テキスト表現の入力を提供する、又はその場所のスナップショットをキャプチャーすることによって、当該新しいデータ又は正しいデータを提出する（４７４）ことができる。後者の場合において、自動テキスト抽出アルゴリズムが用いられて、店舗名又は類似の情報を特定することができる。あるいはまた、その店舗のウェブサイトをクロールすることによって、その場所の住所が検証されることができる。多数のユーザーからの画像を用いて画像の特徴と構造物をマッチングすることによって、更なる検証が実施されることができる。データの検証（４７６）に引き続いて、この提出は、地理データ記憶装置４７８へ追加され、当該ユーザーの周辺環境の拡張された表示（４８０）として（直ちに又は延期の後に）公開されることができる。
【００２７】
[0034]  既に言及されたように、（金銭的な又はそれ以外の）報奨は、ユーザーに頻繁に及び／又は高い正確性で提出を行うインセンティブを与えることができる。報奨には、クーポン、割引、アクセス権、特典、御礼、現金、ポイントベースの報奨システムにおけるポイント、広告における若しくは当該新しいデータに由来するサービスにおける収入の分配、又は同様のものが含まれ得る。ユーザーは素早い報奨付与によってより一層のインセンティブを与えられ得るが、その一方、検証がなければ、システムは悪用に対して無防備となり得る。それ故に、検証を条件として、非金銭的な報奨（例えばクレジット）を即座に発行するといったような、折衷したソリューションが実行されることができる。その上、迅速な検証手法を採用することは、当該システムに対するユーザーの関心を増大させ得る。
【００２８】
[0035]  図５は、拡張された地図アプリケーションにおいてユーザーフィードバックデータを検証するシステムに関する別のブロック図を示す。図形５００によれば、ユーザーが提出した新しい又は正しいデータ５８２は、ユーザーがその場所の画像を提出すること５８４、ユーザーの場所が他と独立に確認されること５８８、又はユーザーが信頼できるグループの一員であること５８６、といったような検証手続に委ねられることができる。検証のための過程（５９０）に引き続いて、当該新しい又は修正されたデータが表示される（５９２）ことができる。データが表示された後に、検証のための上記第１の過程に加えて、又はその代わりに、他のユーザーのフィードバック５９４に基づく検証が実施されることができる。最初に提出されたデータが間違っていると判明した場合、そのデータはオプションのステップ５９６において修正されることができ、当該正しいデータを提出したユーザーは報奨を受ける（５９８）ことができる。
【００２９】
[0036]  図１乃至５において論じられた、新しい又は正しい情報の提出、ユーザーへのインセンティブ付与、及び検証手法等の様々な処理は、別個のハードウェアモジュール、ソフトウェアモジュール、又はハードウェアとソフトウェアの組み合わせにより実行されることができる。更に、そのようなモジュールは、それらの処理の２つ以上を統合的な方法で実行することができる。拡張された地図、衛星画像、ストリートビュー等を提供する場所に基づくサービスに関して具体的な例が示されてきたが、実施態様は、場所に基づくデータに限定されるものではない。実際のところ、ユーザーフィードバックを通じて欠落した又は間違った情報を完全なものとすることは、収集されたデータをユーザーに提供する他のデータシステムにおいて実現されることができる。例えば、様々な情報をウェブユーザーに提供するオンライン情報サービス、リアルタイムのトラフィック情報プロバイダー、及び類似のものが、本明細書において説明された原理を利用するシステムを実現することができる。
【００３０】
[0037]  図６は、本実施態様が実現されることができる例示的なネットワーク環境である。地図アプリケーションに関連した拡張データの補足及び修正を提供するためのプラットフォームは、ホストサービス等の１つ又は複数のサーバー６１４において実行されるソフトウェアによって実現されることができる。このプラットフォームは、スマートフォン６１１、携帯電話端末６１２、デスクトップコンピューター６１３、又は類似のデバイス等の個々のモバイルデバイス（「クライアントデバイス」）上のクライアントアプリケーションとネットワーク６１０を通じて通信することができる。
【００３１】
[0038]  クライアントデバイス６１１−６１３のうちの任意のデバイス上で実行されるクライアントアプリケーションは、サーバー群６１４から又は個々のサーバー６１６上で地図サービスを提供するホストサービスと対話することができる。当該ホストサービスは、拡張された地図、衛星画像、及び／又はストリートビューを提供することができる。このホストサービスは、報奨ベースの入力、クラウドソーシング、及び類似のものといったようなユーザーフィードバックのメカニズムを実現して、記憶されているデータに対する補足的な修正情報を引き出すことができる。更にまた、このホストサービスは、上述されたような様々な検証メカニズムをも実現することができる。ストリートビュー画像及び補足的なテキスト表現のデータ等の関連データは、データ記憶装置６１９に／から直接、若しくはデータベースサーバー６１８を介して、格納及び／又は取得されることができる。
【００３２】
[0039]  ネットワーク６１０は、サーバー、クライアント、インターネットサービスプロバイダー、及び通信媒体の如何なるトポロジーも含むことができる。実施態様によるシステムは、静的又は動的なトポロジーを有することができる。ネットワーク６１０は、企業ネットワークのような安全なネットワーク、無線オープンネットワークのような安全でないネットワーク、又はインターネットを含むことができる。ネットワーク６１０はまた、（特にサーバーとモバイルデバイスとの間において）携帯電話ネットワークを含むこともできる。更に、ネットワーク６１０は、ブルートゥース（登録商標）又はそれに類似したもの等の短距離無線ネットワークを含むことができる。ネットワーク６１０は、本明細書において説明されたノード間の通信を提供する。限定ではなく例として、ネットワーク６１０は、音波、ＲＦ、赤外線、及び他の無線媒体といったような無線媒体を含むことができる。
【００３３】
[0040]  ユーザーフィードバックをベースにした修正を拡張地図サービスに提供するプラットフォームを実現するために、コンピューティングデバイス、アプリケーション、データソース、及びデータ配信システムの多くの他の構成が利用されることができる。更に、図６において議論されたネットワーク環境は、例証的な目的のためだけのものである。本実施態様は、例示的なアプリケーション、モジュール、又は処理に限定されるものではない。
【００３４】
[0041]  図７及びそれに関連する議論は、本実施態様が実現されることが可能な相応しいコンピューティング環境の簡潔で概括的な説明を提供することを意図したものである。図７を参照すると、コンピューティングデバイス７００のような、実施態様によるアプリケーションのための例示的なコンピューティング動作環境のブロック図が示されている。基本的な構成において、コンピューティングデバイス７００は、本実施態様による拡張された地図サービスを提供する能力を有したサーバーであり、少なくとも１つの処理装置７０２及びシステムメモリ７０４を含むことができる。コンピューティングデバイス７００はまた、プログラムの実行を協力して行う複数の処理装置を含むこともできる。コンピューティングデバイスの厳密な構成及びタイプに依存して、システムメモリ７０４は、（ＲＡＭのような）揮発性、（ＲＯＭ、フラッシュメモリ等のような）不揮発性、又はこれら２つの何らかの組み合わせでありうる。システムメモリ７０４は、典型的に、ワシントン州レッドモンドのマイクロソフトコーポレーションからのウィンドウズモバイル（登録商標）オペレーティングシステム又はそれに類似したもの等の、プラットフォームの動作を制御するのに適したオペレーティングシステム７０５を含む。システムメモリ７０４はまた、プログラムモジュール７０６、拡張地図アプリケーション７２２、及び検証モジュール７２４といったような１つ又は複数のソフトウェアアプリケーションをも含むことができる。
【００３５】
[0042]  拡張地図アプリケーション７２２は、地図、衛星画像、ストリートビュー画像、及び類似のものを提供して、それらを文脈表現の情報で拡張することができる。この拡張データは、ユーザーフィードバックを通じて部分的に受信及び／又は修正されることができる。検証モジュール７２４は、提出を行うユーザーの場所を確認すること、当該ユーザーからその場所の画像を受け取ること、ユーザーを認証すること、及び同様の方法といったような様々な確認メカニズムを実現することができる。この基本的な構成は、図７において破線７０８内のコンポーネントによって示されている。
【００３６】
[0043]  コンピューティングデバイス７００は、付加的な特徴又は機能を有することができる。例えば、コンピューティングデバイス７００は、例えば磁気ディスク、光ディスク、又はテープといったような（リムーバブル及び／又は非リムーバブルの）付加的なデータ記憶装置を含むこともできる。そのような付加的な記憶装置は、図７においてリムーバブル記憶装置７０９と非リムーバブル記憶装置７１０によって示されている。コンピューター読み取り可能記憶媒体は、コンピューター読み取り可能命令、データ構造、プログラムモジュール、又は他のデータといった情報の記憶のための任意の方法又は技術により実現された、揮発性及び不揮発性、リムーバブル及び非リムーバブルの媒体を含むことができる。システムメモリ７０４、リムーバブル記憶装置７０９、及び非リムーバブル記憶装置７１０は、全てコンピューター読み取り可能記憶媒体の例である。コンピューター読み取り可能記憶媒体は、限定ではないが、ＲＡＭ、ＲＯＭ、ＥＥＰＲＯＭ、フラッシュメモリ若しくは他のメモリ技術、ＣＤ−ＲＯＭ、デジタル多用途ディスク（ＤＶＤ）若しくは他の光記憶装置、磁気テープ、磁気ディスク記憶装置若しくは他の磁気記憶デバイス、又は、所望の情報を格納するために用いられることが可能でありコンピューティングデバイス７００によってアクセスされることが可能である任意の他の媒体を含む。如何なるそのようなコンピューター読み取り可能記憶媒体も、コンピューティングデバイス７００の一部分でありうる。コンピューティングデバイス７００はまた、キーボード、マウス、ペン、音声入力デバイス、タッチ入力デバイス、及び類似の入力デバイス等の入力デバイス７１２をも有することができる。ディスプレイ、スピーカー、プリンター、及び他のタイプの出力デバイス等の出力デバイス７１４もまた、含まれることができる。これらのデバイスは当該技術においてよく知られており、本明細書で長々と説明されることを要しない。
【００３７】
[0044]  コンピューティングデバイス７００はまた、当該デバイスが、分散コンピューティング環境の有線又は無線ネットワーク、衛星リンク、携帯電話リンク、短距離ネットワーク、及び類似のメカニズムを介する等して、他のデバイス７１８と通信することを可能にする通信接続７１６を包含することもできる。他のデバイス７１８は、通信アプリケーションを実行するコンピューターデバイス、他のサーバー、及び類似のデバイスを含むことができる。通信接続７１６は、通信媒体の一例である。通信媒体は、その中に、コンピューター読み取り可能命令、データ構造、プログラムモジュール、又は他のデータを含むことが可能である。限定ではなく例として、通信媒体は、有線ネットワーク又は直接有線接続等の有線媒体と、音波、ＲＦ、赤外線、及び他の無線媒体等の無線媒体とを含む。
【００３８】
[0045]  例示的な実施態様には、方法も含まれる。それらの方法は、本文書中で説明された機構を含む多数のやり方で実現されることが可能である。そうした１つのやり方は、本文書中で説明されたタイプのデバイスのマシン動作によるものである。
【００３９】
[0046]  別の選択可能なやり方は、当該方法の個々の動作のうちの１つ又は複数が、それら動作のいくつかを実施している１人又は複数の人間のオペレーターと連携して実行されることである。そうした人間のオペレーターは、互いに共起される必要はないが、そのそれぞれは、プログラムの一部分を実行するマシンと共に存在することができるのみである。
【００４０】
[0047]  図８は、実施態様に従いユーザーフィードバックを通じて場所に基づくデータを拡張及び修正する処理８００の論理フロー図を示す。処理８００は、サーバーによって実行される地図アプリケーションの一部分として実装されることができる。
【００４１】
[0048]  処理８００は、動作８１０から開始し、この動作８１０において、拡張された場所データがユーザーに対して表示される。当該場所データには、その場所の地図、衛星画像、ストリートビュー、音声による説明、及び同様のものが含まれ得る。表示される場所は、ユーザー入力、又はＧＰＳシステムに基づくような自動的な処理に基づいて決定されることができる。動作８２０において、当該表示された場所の１つ又は複数の特徴に関連するユーザーフィードバックが受け取られることができる。このフィードバックには、店舗名や、地図アプリケーションに利用可能でなかった店舗の詳細情報といったような、補足的な情報が含まれ得る。このフィードバックにはまた、誤りのある情報に対する修正も含まれ得る。フィードバックへのインセンティブを与えるために、拡張現実をベースにした宝探し形式のゲーム、又は直接的／間接的な報奨メカニズムが利用されることができる。
【００４２】
[0049]  動作８３０において、上記受け取られたフィードバックが検証されることができる。検証は、いくつかの形をとることができる。例えば、認証を受けた及び／又は信頼できるユーザーだけがフィードバックを提供することを許可されることができ、あるいは、提供を行うユーザーの信頼度レベルに基づいて、フィードバックが重み付けされることができる。他のメカニズムには、ユーザーの場所を（例えばＧＰＳにより）確認すること、ユーザーからその場所の画像を受け取ること等が含まれ得る。他のユーザーが当該受け取られたフィードバックを確認又は修正することを可能にするといったような、何らかのフィードバックメカニズムが動作８４０の後に実施されることができ、この動作８４０において、上記の補足された及び／又は修正された拡張場所データが表示される。
【００４３】
[0050]  動作８５０において、提出を行ったユーザー又は修正を行ったユーザー（最初の提出が正しかったか否かに応じて）が、既に論じられたようにして報奨を受けることができる。報奨のメカニズムは、より多くのより正確なフィードバック及び修正に対してインセンティブを与えるように定められることができる。最初に提出されたフィードバックを表示した後に修正がなされた場合には、当該表示された拡張場所データは、その修正によって改訂されて再表示されることができる。
【００４４】
[0051]  処理８００に含まれる動作は、例証的な目的のためのものである。ユーザーフィードバックを通じて場所に基づくデータの拡張及び修正を提供することは、本明細書において説明された原理を用いて異なる動作順序によるだけでなく、より少ない又は付加的なステップを有する類似の処理によっても、実現されることができる。
【００４５】
[0052]  上記の明細書、例、及びデータは、実施態様による構成物の製造及び使用に関する完全な説明を提供するものである。主題が構造的機能及び／又は方法論的動作に特有の言葉で説明されてきたが、添付された特許請求の範囲において定義される対象は必ずしも上述された特定の機能又は動作に限定されるものではない、ということは理解されなければならない。それどころか、当該上述された特定の機能及び動作は、特許請求の範囲及び実施態様を実現する例示の形として開示されたのである。
【図１】
2013534662.tif 000003
【図２】
2013534662.tif 000004
【図３】
2013534662.tif 000005
【図４】
2013534662.tif 000006
【図５】
2013534662.tif 000007
【図６】
2013534662.tif 000008
【図７】
2013534662.tif 000009
【図８】
2013534662.tif 000010
【国際調査報告】
2013534662.tif 000011
2013534662.tif 000012
2013534662.tif 000013